(57)【要約】【課題】居住用の建物などに導入されたバッテリを効率的に制御する。【解決手段】再生可能エネルギーをエネルギー源として電力を生成する太陽光発電パネル１０４と、電力を蓄積するためのバッテリ１０６と、太陽光発電パネル１０４が利用できる再生可能エネルギー量を予測する予測情報に基づいて、太陽光発電パネル１０４が生成する電力の発電量を予測する太陽光発電量予測部１４４と、消費電力量を予測する消費電力量予測部１４６と、バッテリ１０６の蓄電量、予測された発電量および予測された消費電力量に基づいて、バッテリ１０６に蓄電が必要か否かを判定する判定部１４８と、判定部１４８による判定の結果、バッテリ１０６に蓄電が必要なときに、バッテリ１０６に蓄積するための電力を取得する電力取得部１５０とを備えるバッテリ制御システム１０００が提供される。【選択図】図１
2011125122.tif 000002
【特許請求の範囲】
【請求項１】
再生可能エネルギーをエネルギー源として電力を生成する電力生成部と、
前記電力を蓄積するためのバッテリと、
前記電力生成部が利用できる再生可能エネルギー量を予測する予測情報に基づいて、前記電力生成部が生成する電力の発電量を予測する発電量予測部と、
消費電力量を予測する消費電力量予測部と、
前記バッテリの蓄電量、前記発電量および前記消費電力量に基づいて、前記バッテリに蓄電が必要か否かを判定する判定部と、
前記判定部による判定の結果、前記バッテリに蓄電が必要なときに、前記バッテリに蓄積するための電力を取得する電力取得部と、
を備える、バッテリ制御システム。
【請求項２】
前記バッテリから前記バッテリの蓄電量情報を取得する蓄電量情報取得部と、
外部から前記予測情報を取得する予測情報取得部とをさらに備える、請求項１に記載のバッテリ制御システム。
【請求項３】
前記消費電力量予測部は、過去の消費電力量に基づいて、消費電力量を予測する、請求項１または２に記載のバッテリ制御システム。
【請求項４】
前記消費電力量予測部は、ユーザにより入力された入力情報、およびスケジュール情報の少なくとも一方に基づいて、消費電力量を予測する、請求項１〜３のいずれか１項に記載のバッテリ制御システム。
【請求項５】
前記電力取得部は、前記バッテリに蓄積するための電力を購入する、請求項１〜４のいずれか１項に記載のバッテリ制御システム。
【請求項６】
前記電力取得部は、前記バッテリに蓄積するための電力を発電機により発電する、請求項１〜４のいずれか１項に記載のバッテリ制御システム。
【請求項７】
前記電力生成部は、太陽光エネルギーをエネルギー源として電力を生成する、請求項１〜６のいずれか１項に記載のバッテリ制御システム。
【請求項８】
前記電力生成部は、風力をエネルギー源として電力を生成する、請求項１〜６のいずれか１項に記載のバッテリ制御システム。
【請求項９】
前記バッテリは、電気自動車に搭載されているバッテリである、請求項１〜８のいずれか１項に記載のバッテリ制御システム。
【請求項１０】
利用できる再生可能エネルギー量を予測する予測情報に基づいて、前記電力生成部が生成する電力の発電量を予測する発電量予測部と、
消費電力量を予測する消費電力量予測部と、
前記電力を蓄積するためのバッテリの蓄電量、前記発電量および前記消費電力量に基づいて、前記バッテリに蓄電が必要か否かを判定する判定部と、
前記判定部による判定の結果、前記バッテリに蓄電が必要なときに、前記バッテリに蓄積するための電力を取得する電力取得部と、
を備える、バッテリ制御装置。
【請求項１１】
利用できる再生可能エネルギー量を予測する予測情報に基づいて、前記電力生成部が生成する電力の発電量を予測する発電量予測ステップと、
消費電力量を予測する消費電力量予測ステップと、
前記バッテリの蓄電量、前記発電量および前記消費電力量に基づいて、前記バッテリに蓄電が必要か否かを判定する判定ステップと、
前記判定ステップでの判定の結果、前記バッテリに蓄電が必要なときに、前記バッテリに蓄積するための電力を取得する電力取得ステップと、
を有する、バッテリ制御方法。
【請求項１２】
コンピュータを、
利用できる再生可能エネルギー量を予測する予測情報に基づいて、前記電力生成部が生成する電力の発電量を予測する発電量予測部と、
消費電力量を予測する消費電力量予測部と、
前記電力を蓄積するためのバッテリの蓄電量、前記発電量および前記消費電力量に基づいて、前記バッテリに蓄電が必要か否かを判定する判定部と、
前記判定部による判定の結果、前記バッテリに蓄電が必要なときに、前記バッテリに蓄積するための電力を取得する電力取得部と、
として機能させるためのプログラム。
【請求項１３】
再生可能エネルギーをエネルギー源として電力を生成する電力生成部と、
前記電力を蓄積するためのバッテリと、
前記電力生成部が利用できる再生可能エネルギー量を予測する予測情報に基づいて予測された前記電力生成部が生成する電力の発電量情報を取得する取得部と、
消費電力量を予測する消費電力量予測部と、
前記バッテリの蓄電量、前記発電量情報および前記消費電力量に基づいて、前記バッテリに蓄電が必要か否かを判定する判定部と、
前記判定部による判定の結果、前記バッテリに蓄電が必要なときに、前記バッテリに蓄積するための電力を取得する電力取得部と、
を備える、バッテリ制御システム。
【請求項１４】
利用できる再生可能エネルギー量を予測する予測情報に基づいて予測された前記電力生成部が生成する電力の発電量情報を取得する取得部と、
消費電力量を予測する消費電力量予測部と、
前記電力を蓄積するためのバッテリの蓄電量、前記発電量情報および前記消費電力量に基づいて、前記バッテリに蓄電が必要か否かを判定する判定部と、
前記判定部による判定の結果、前記バッテリに蓄電が必要なときに、前記バッテリに蓄積するための電力を取得する電力取得部と、
を備える、バッテリ制御装置。
【請求項１５】
利用できる再生可能エネルギー量を予測する予測情報に基づいて予測された前記電力生成部が生成する電力の発電量情報を取得する取得ステップと、
消費電力量を予測する消費電力量予測ステップと、
前記バッテリの蓄電量、前記発電量情報および前記消費電力量に基づいて、前記バッテリに蓄電が必要か否かを判定する判定ステップと、
前記判定ステップでの判定の結果、前記バッテリに蓄電が必要なときに、前記バッテリに蓄積するための電力を取得する電力取得ステップと、
を有する、バッテリ制御方法。
【請求項１６】
コンピュータを、
利用できる再生可能エネルギー量を予測する予測情報に基づいて予測された前記電力生成部が生成する電力の発電量情報を取得する取得部と、
消費電力量を予測する消費電力量予測部と、
前記電力を蓄積するためのバッテリの蓄電量、前記発電量情報および前記消費電力量に基づいて、前記バッテリに蓄電が必要か否かを判定する判定部と、
前記判定部による判定の結果、前記バッテリに蓄電が必要なときに、前記バッテリに蓄積するための電力を取得する電力取得部と、
として機能させるためのプログラム。
【発明の詳細な説明】
【技術分野】
【０００１】
本発明は、バッテリ制御システム、バッテリ制御装置、バッテリ制御方法およびプログラムに関する。
【背景技術】
【０００２】
近年、世界のあらゆる地域で、温室効果ガスの大幅削減に向けた取り組みが進んでいる。その際には、風力や太陽光といった再生可能エネルギーの大量導入が不可欠である。
【０００３】
現在、日本においては、再生可能エネルギーをエネルギー源とする電力の生成のために、太陽光発電パネルの居住用の建物などへの導入、すなわち家庭への導入がされつつある。そして、太陽光発電パネルを導入した家庭では、太陽光発電パネルで生成した電力を家庭において使用したり、余った電力を電力会社に売電したりしていた。
【０００４】
しかし、電力会社は、各家庭において発電される電力量を把握することができないことや、買電を要求する家庭の数の増大や、電力供給システムが不安定になることなどのため、買電を行うのが困難となりつつある。
【０００５】
電力会社が電力の買電を行わない場合、各家庭では、余った電力を捨てるか、または余った電力を蓄えて使用することになる。各家庭において余った電力を蓄える場合、各家庭に電力を蓄電するためのバッテリを導入する必要がある。また、電力会社が電力をすぐに買電せずに後で買電したいときには、太陽光発電パネルで生成した電力を蓄電するために、各家庭にバッテリを導入する必要がある。なお、各家庭において、電気自動車などを有している場合には、電気自動車などに使用されているリチウムイオン電池などをバッテリとして導入する可能性もある。
【０００６】
このような中、複数の自然エネルギーを利用した独立電源装置により発電された電力量を二酸化炭素削減量として、一括管理でき、地球温暖化防止（京都議定書）を推進することができるシステムが提案されている（例えば、特許文献１参照。）。また、太陽光発電と水素を利用した燃料電池を用いて、地球に優しく、安全で十分な電力を安定的に供給する電源システムが提案されている（例えば、特許文献２参照。）。
【先行技術文献】
【特許文献】
【０００７】
【特許文献１】特開２００６−２８５７２８号公報
【特許文献２】特開２００２−１３５９８０号公報
【発明の概要】
【発明が解決しようとする課題】
【０００８】
ところで、居住用の建物などにバッテリを導入する場合、すなわち家庭にバッテリを導入する場合、各家庭において、バッテリを効率的に制御する必要がある。例えば、バッテリに蓄積した電力をどのように使用するかや、バッテリに蓄積した電力をどのようなタイミングで電力会社に売電するかや、バッテリに蓄積するための電力をどのようなタイミングで電力会社から買電する、または発電するかなどを、効率的に制御する必要がある。
【０００９】
現在では、居住用の建物などに導入されたバッテリに関する制御としては、表示パネルにおいて現在のバッテリの蓄電状況の表示や二酸化炭素の排出量の表示のみが行われている。
【００１０】
そこで、本発明は、上記問題に鑑みてなされたものであり、本発明の目的とするところは、居住用の建物などに導入されたバッテリを効率的に制御することが可能な、新規かつ改良されたバッテリ制御システム、バッテリ制御装置、バッテリ制御方法およびプログラムを提供することにある。
【課題を解決するための手段】
【００１１】
上記課題を解決するために、本発明のある観点によれば、再生可能エネルギーをエネルギー源として電力を生成する電力生成部と、前記電力を蓄積するためのバッテリと、前記電力生成部が利用できる再生可能エネルギー量を予測する予測情報に基づいて、前記電力生成部が生成する電力の発電量を予測する発電量予測部と、消費電力量を予測する消費電力量予測部と、前記バッテリの蓄電量、前記発電量および前記消費電力量に基づいて、前記バッテリに蓄電が必要か否かを判定する判定部と、前記判定部による判定の結果、前記バッテリに蓄電が必要なときに、前記バッテリに蓄積するための電力を取得する電力取得部とを備えるバッテリ制御システムが提供される。
【００１２】
前記バッテリから前記バッテリの蓄電量情報を取得する蓄電量情報取得部と、外部から前記予測情報を取得する予測情報取得部とをさらに備えてもよい。
【００１３】
前記消費電力量予測部は、過去の消費電力量に基づいて、消費電力量を予測してもよい。
【００１４】
前記消費電力量予測部は、ユーザにより入力された入力情報、およびスケジュール情報の少なくとも一方に基づいて、消費電力量を予測してもよい。
【００１５】
前記電力取得部は、前記バッテリに蓄積するための電力を購入してもよい。
【００１６】
前記電力取得部は、前記バッテリに蓄積するための電力を発電機により発電してもよい。
【００１７】
前記電力生成部は、太陽光エネルギーをエネルギー源として電力を生成してもよい。
【００１８】
前記電力生成部は、風力をエネルギー源として電力を生成してもよい。
【００１９】
前記バッテリは、電気自動車に搭載されているバッテリであってもよい。
【００２０】
また、上記課題を解決するために、本発明の別の観点によれば、利用できる再生可能エネルギーがどれ位得られるかと言う予測情報に基づいて、電力生成部が生成する発電量を予測する発電量予測部と、消費電力量を予測する消費電力量予測部と、前記電力を蓄積するためのバッテリの蓄電量、前記発電量および前記消費電力量に基づいて、前記バッテリに蓄電が必要か否かを判定する判定部と、前記判定部による判定の結果、前記バッテリに蓄電が必要なときに、前記バッテリに蓄積するための電力を取得する電力取得部とを備えるバッテリ制御装置が提供される。
【００２１】
また、上記課題を解決するために、本発明の別の観点によれば、利用できる再生可能エネルギーがどれ位利用できるか言う予測情報に基づいて、前記電力生成部が生成する電力の発電量を予測する発電量予測ステップと、消費電力量を予測する消費電力量予測ステップと、前記電力を蓄積するためのバッテリの蓄電量、前記発電量および前記消費電力量に基づいて、前記バッテリに蓄電が必要か否かを判定する判定ステップと、前記判定ステップでの判定の結果、前記バッテリに蓄電が必要なときに、前記バッテリに蓄積するための電力を取得する電力取得ステップとを有するバッテリ制御方法が提供される。
【００２２】
また、上記課題を解決するために、本発明の別の観点によれば、コンピュータを、利用できる再生可能エネルギーがどれ位利用できるか言う予測情報に基づいて、前記電力生成部が生成する電力の発電量を予測する発電量予測部と、消費電力量を予測する消費電力量予測部と、前記電力を蓄積するためのバッテリの蓄電量、前記発電量および前記消費電力量に基づいて、前記バッテリに蓄電が必要か否かを判定する判定部と、前記判定部による判定の結果、前記バッテリに蓄電が必要なときに、前記バッテリに蓄積するための電力を取得する電力取得部とを機能させるためのプログラムが提供される。
【００２３】
また、上記課題を解決するために、本発明の別の観点によれば、再生可能エネルギーをエネルギー源として電力を生成する電力生成部と、前記電力を蓄積するためのバッテリと、前記電力生成部が利用できる再生可能エネルギー量を予測する予測情報に基づいて予測された前記電力生成部が生成する電力の発電量情報を取得する取得部と、消費電力量を予測する消費電力量予測部と、前記バッテリの蓄電量、前記発電量情報および前記消費電力量に基づいて、前記バッテリに蓄電が必要か否かを判定する判定部と、前記判定部による判定の結果、前記バッテリに蓄電が必要なときに、前記バッテリに蓄積するための電力を取得する電力取得部とを備えるバッテリ制御システムが提供される。
【００２４】
また、上記課題を解決するために、本発明の別の観点によれば、利用できる再生可能エネルギー量を予測する予測情報に基づいて予測された前記電力生成部が生成する電力の発電量情報を取得する取得部と、消費電力量を予測する消費電力量予測部と、前記電力を蓄積するためのバッテリの蓄電量、前記発電量情報および前記消費電力量に基づいて、前記バッテリに蓄電が必要か否かを判定する判定部と、前記判定部による判定の結果、前記バッテリに蓄電が必要なときに、前記バッテリに蓄積するための電力を取得する電力取得部とを備えるバッテリ制御装置が提供される。
【００２５】
また、上記課題を解決するために、本発明の別の観点によれば、利用できる再生可能エネルギー量を予測する予測情報に基づいて予測された前記電力生成部が生成する電力の発電量情報を取得する取得ステップと、消費電力量を予測する消費電力量予測ステップと、前記バッテリの蓄電量、前記発電量情報および前記消費電力量に基づいて、前記バッテリに蓄電が必要か否かを判定する判定ステップと、前記判定ステップでの判定の結果、前記バッテリに蓄電が必要なときに、前記バッテリに蓄積するための電力を取得する電力取得ステップとを有するバッテリ制御方法が提供される。
【００２６】
また、上記課題を解決するために、本発明の別の観点によれば、コンピュータを、利用できる再生可能エネルギー量を予測する予測情報に基づいて予測された前記電力生成部が生成する電力の発電量情報を取得する取得部と、消費電力量を予測する消費電力量予測部と、前記電力を蓄積するためのバッテリの蓄電量、前記発電量情報および前記消費電力量にづいて、前記バッテリに蓄電が必要か否かを判定する判定部と、前記判定部による判定の結果、前記バッテリに蓄電が必要なときに、前記バッテリに蓄積するための電力を取得する電力取得部として機能させるためのプログラムが提供される。
【発明の効果】
【００２７】
以上説明したように本発明によれば、居住用の建物などに導入されたバッテリを効率的に制御することができる。
【図面の簡単な説明】
【００２８】
【図１】本発明の実施の形態に係るバッテリ制御システムの概略構成を主に示す説明図である。
【図２】図１におけるバッテリ制御システムの制御部の機能構成を示すブロック図である。
【図３】図１におけるバッテリ制御システムが実行する第１のバッテリ制御処理のフローチャートである。
【図４】図３の第１のバッテリ制御処理を具体的に説明するための説明図である。
【図５】図１におけるバッテリ制御システムが実行する第２のバッテリ制御処理のフローチャートである。
【図６】図１における表示部に表示される入力画面の一例を説明するための説明図である。
【図７】ＰＣや携帯電話などの表示部に表示される入力画面の一例を説明するための説明図である。
【図８】ＰＣや携帯電話などの表示部に表示される入力画面の一例を説明するための説明図である。
【図９】図５の第２のバッテリ制御処理を具体的に説明するための説明図である。
【発明を実施するための形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
なお、説明は以下の順序で行うものとする。
１．バッテリ制御システム
２．制御部の機能構成
３．第１のバッテリ制御処理
４．第２のバッテリ制御処理
【００３１】
［１．バッテリ制御システム］
まず、本発明の実施の形態に係るバッテリ制御システムについて説明する。図１は、本発明の実施の形態に係るバッテリ制御システムの概略構成を主に示す説明図である。
【００３２】
図１において、バッテリ制御システム１０００は、居住用の建物１００の屋根１０２に設置された太陽光発電パネル１０４と、居住用の建物１００の内部に設けられたバッテリ１０６、制御部１０８、配電部１１０、入力部１１２、表示部１１４および通信部１１６とで構成される。なお、バッテリ１０６、制御部１０８、配電部１１０、入力部１１２、表示部１１４および通信部１１６は居住用の建物１００の外部に設けられてもよい。
【００３３】
太陽光発電パネル１０４は、本発明の電力生成部の一例であり、太陽１１８からの太陽光１２０を受光して電力を生成する。すなわち、太陽光発電パネル１０４は、再生可能エネルギーをエネルギー源として電力を生成する。配電部１１０は、電力の配電を行う。なお、配電部１１０は、直流配電部と交流配電部との２つに分かれていてもよい。バッテリ１０６は、電力を蓄積する。太陽光発電パネル１０４で生成された電力は、配電部１１０を介してバッテリ１０６に蓄積される。なお、太陽光発電パネル１０４で生成された電力は、バッテリ１０６に直接蓄積されてもよい。
【００３４】
制御部１０８は、配電部１１０、入力部１１２、表示部１１４および通信部１１６の制御を行う。入力部１１２は、建物１００の居住者などのユーザによる操作入力を受け付ける。表示部１１４は、ユーザに対して様々な情報の表示を行う。なお、入力部１１２と表示部１１４とは一体形成されてもよく、例えばタッチパネルであってもよい。通信部１１６は、外部との通信を制御する。
【００３５】
制御部１０８は、通信部１１６を介してインターネット１２２に接続された記憶部１２６を備えるサーバ（クラウドサーバ）１２４と通信可能である。また、制御部１０８は、配電部１１０を介して電力会社１２８から電力を購入することができる。制御部１０８は、電力会社１２８から購入した電力を、配電部１１０を介してバッテリ１０６に蓄積することができる。制御部１０８は、バッテリ１０６に蓄積した電力を、配電部１１０を介して電力会社１２８に売却することができる。さらに、制御部１０８は、配電部１１０を介して発電機１３０を制御することにより、発電機１３０に電力を発電させることができる。
【００３６】
発電機１３０は、ガス会社などの燃料供給会社１３２から供給された天然ガスや水素を用いて電気を生成する。また、発電機１３０は、燃料タンク１３４に蓄えられている灯油、プロパンガス、液体水素、高圧圧縮水素などを用いて電気を生成してもよい。さらに、発電機１３０は、発電の際に発生する熱を利用して水からお湯を生成し、このお湯を貯水部１３６に貯めてもよい。
【００３７】
なお、本実施の形態では、バッテリ制御システム１０００は、建物１００の内部に設けられたバッテリ１０６を備えたが、バッテリ１０６の代わりに電気自動車１３８のバッテリ１４０を使用してもよい。以下、説明の中で、単にバッテリ１０６としている部分においては、適宜バッテリ１４０も含むものとする。また、本例ではバッテリ１０６を単にバッテリとして説明しているが、バッテリの広義の意味は、電気エネルギーを何らかの形で貯蔵し、必要に応じて電気エネルギーで出力できる、全てのデバイス、システムのことである。具体的には、リチウムイオン電池、ニッケル水素電池、鉛蓄電池、ＮＡＳ電池に代表される、現在使用可能な畜電池や、将来使用可能になるであろう畜電池、電気二重層コンデンサに代表される大容量コンデンサ、揚力水発電に代表される、電気エネルギーと水の位置エネルギーの変換システム（電気エネルギーで水を高所に持ち上げることが蓄電に相当し、水を低所に誘導し、水流によりタービンを回して発電することが放電に相当する）、水素循環社会で謳われている、電気エネルギーと水素の相互変換システム（電気エネルギーで水を電気分解することが蓄電に相当し、水素を燃焼してタービンを回して発電したり、燃料電池を使って発電することが放電に相当する）などである。
【００３８】
［２．制御部の機能構成］
次に、図１におけるバッテリ制御システム１０００の制御部１０８について説明する。図２は、図１におけるバッテリ制御システム１０００の制御部１０８の機能構成を示すブロック図である。
【００３９】
図２において、制御部１０８は、取得部１４２、太陽光発電量予測部１４４、消費電力予測部１４６、判定部１４８および電力取得部１５０を備える。
【００４０】
取得部１４２は、バッテリ１０６からバッテリ１０６の現在の蓄電量を表す蓄電量情報を取得する。取得部１４２は、通信部１１６を介してインターネット１２２に接続されているサーバ１２４の記憶部１２６から日中の予測された太陽光照射時間を表す日照時間予測情報を取得する。取得部１４２は、ユーザによる入力部１１２を介した操作入力により生成されたユーザ入力情報を取得する。取得部１４２は、通信部１１６を介してインターネット１２２に接続されているサーバ１２４の記憶部１２６から、ユーザが図示しないＰＣ（Personal Computer）や携帯電話などを利用して入力したスケジュール情報を取得する。
【００４１】
太陽光発電量予測部１４４は、取得部１４２が取得した日照時間予測情報に基づいて、太陽光発電パネル１０４による太陽光発電量を予測する。消費電力予測部１４６は、ユーザによる入力部１１２を介した操作入力、すなわちユーザによりその都度入力される操作入力や、バッテリ制御システム１０００の記憶部（図示しない）に記憶されている過去の消費電力量の情報に基づいて、消費電力量を予測する。なお、消費電力予測部１４６は、取得部１４２が取得したユーザ入力情報、すなわちユーザにより事前に入力されたユーザ入力情報およびスケジュール情報や、バッテリ制御システム１０００の記憶部（図示しない）に記憶されている過去の電力消費量の情報に基づいて、消費電力量を予測してもよい。また、上記日照時間予測情報であるが、「何時間照射される」と言う情報にすることも出来るが、所定時間の間に、どれ位の照度の光が太陽光パネルに当たっているかと言う、積算照射量情報にすることも出来る。更に、積算照射量を基準照射量で除し、照射時間に再換算してもよい。また、ユーザにより太陽光パネルの発電効率値を入力させ、あるいは取得部１４２が自動的にこの値をサーバ１２４に送信することで、サーバ１２４側で予想発電量までを計算し、取得部１４２に返答するようにしても良い。この場合、太陽光発電量予測部１４４は不要となる。
【００４２】
判定部１４８は、取得部１４２が取得したバッテリ１０６の蓄電量情報が表す蓄電量と太陽光発電量予測部１４４が予測した太陽光発電パネル１０４の太陽光発電量とを加算した量と、消費電力予測部１４６が予測した消費電力量とを比較して、バッテリ１０６への蓄電量を増やすべきか否かを判別する。電力取得部１５０は、判定部１４８による判定の結果、蓄電量を増やすべきと判定された時には、配電部１１０を介して電力会社１２８から電力を購入する、または／および配電部１１０を介して発電機１３０により電力を発電して、購入した電力、または発電した電力をバッテリ１０６に蓄積する。
【００４３】
［３．第１のバッテリ制御処理］
次に、図１におけるバッテリ制御システム１０００が実行する第１のバッテリ制御処理について説明する。図３は、図１におけるバッテリ制御システム１０００が実行する第１のバッテリ制御処理のフローチャートである。図４は、図３の第１のバッテリ制御処理を具体的に説明するための説明図である。本処理は、ユーザによる入力部１１２を介した操作入力を受け付けた後に実行されてもよく、所定の時刻や所定の時間間隔で実行されてもよい。
【００４４】
図３において、まず、制御部１０８の取得部１４２は、配電部１１０を介してバッテリ１０６からバッテリ１０６の現在の蓄電量を表す蓄電量情報を取得する（ステップＳ３０２）。
【００４５】
次いで、制御部１０８の取得部１４２は、通信部１１６を介してインターネット１２２に接続されているサーバ１２４の記憶部１２６から予測された太陽光照射時間を表す日照時間予測情報を取得する（ステップＳ３０４）。
【００４６】
次いで、制御部１０８の太陽光発電量予測部１４４は、ステップＳ３０４で取得した日照時間予測情報に基づいて、太陽光発電パネル１０４の太陽光発電量を予測する（ステップＳ３０６）。
【００４７】
次いで、制御部１０８の消費電力予測部１４６は、ユーザによる入力部１１２を介した操作入力や、バッテリ制御システム１０００の記憶部（図示しない）に記憶されている過去の消費電力量の情報に基づいて、消費電力量を予測する（ステップＳ３０８）。なお、ステップＳ３０８では、電気自動車１３８を使用する場合には、電気自動車１３８の消費電力量を加味して消費電力量を予測する。
【００４８】
次いで、制御部１０８の判定部１４８は、ステップＳ３０２で取得したバッテリ１０６の蓄電量情報が表す蓄電量とステップＳ３０６で予測した太陽光発電パネル１０４の太陽光発電量とを加算した量と、ステップＳ３０８で予測した消費電力量とを比較して、バッテリ１０６への蓄電量を増やすべきか否かを判別する（ステップＳ３１０）。
【００４９】
ステップＳ３１０の判別の結果、バッテリ１０６への蓄電量を増やすべきと判定したときは（ステップＳ３１０でＹＥＳ）、制御部１０８の電力取得部１５０は、配電部１１０を介して電力会社１２８から電力を購入する、または配電部１１０を介して発電機１３０により電力を発電して、購入した電力、または発電した電力をバッテリ１０６に蓄積する（ステップＳ３１２）。
【００５０】
ここでバッテリ１０６に追加して充電される電力量であるが、これは種々の条件により変わってくる。例えば、ある時点でのバッテリ１０６の蓄電量と、その日に発電する太陽光発電パネル１０４の太陽光発電量とを加算した量が、その日の消費電力量以上となるように充電しておくと言うのも一つの例であるが、その結果、バッテリ容量を上回ってしまった場合には、当然上限をバッテリ容量一杯に制限すべきである。一方、先の判定結果から充電すべきでないと判定されたとしても、暑くて昼間エアコンを大量に使うなど、実は日中のいずれかの時間帯で蓄電量が０になることが予見される場合には、不足するであろう分を予め余計に充電しておく方が良い。その結果、その日の夕方には蓄電池に電力が余ることになるが、それは翌日以降に利用できるため、特段の支障はない。このように、どれだけ蓄電するかなどの判定は、バッテリの容量、判定条件を検討する期間（時間）、時刻による電力購入価格変動などを加味して判定すべきであり、本例に示した判定基準以外でも一向に差し支えない。
【００５１】
ステップＳ３１０の判別の結果、バッテリ１０６への蓄電量を増やすべきではないと判定されたとき（ステップＳ３１０でＮＯ）、またはステップＳ３１２の処理の後に、本処理を終了する。
【００５２】
図３の第１のバッテリ制御処理によれば、例えば、バッテリ１０６の蓄電量と太陽光発電パネル１０４の太陽光発電量とを加算した量が、消費電力量よりも少ないときに、バッテリ１０６に蓄積が必要な電力を電力会社１２８から購入する、または発電機１３０により発電するとした場合、バッテリ１０６にはいつも必要な量の電力が蓄積されていることになる。これにより、居住用の建物１００などに導入されたバッテリ１０６を効率的に制御することができる。
【００５３】
なお、図３の第１のバッテリ制御処理が図４におけるＡの時点、すなわち１２月２４日の午前０時過ぎに実行された場合、図４に示すように、バッテリ１０６の蓄電量が約５０パーセントであるが、予測された太陽光発電パネル１０４の太陽光発電量が多いため、ステップＳ３１２では、買電量を少なくする。また、図３の第１のバッテリ制御処理が図４におけるＢの時点、すなわち１２月２５日の午前０時前に実行された場合、図４に示すように、バッテリ１０６の蓄電量が約６０パーセントであるが、予測された太陽光発電パネル１０４の太陽光発電量は少ないため、ステップＳ３１２では、買電量を多くする。なお、図４では買電を行っているが、買電を行わずに同量の電力の発電を行ってもよい。
【００５４】
なお、図３の第１のバッテリ制御処理において、ステップＳ３１２で電力を電力会社１２８から購入する場合は、炭素税などを考慮して電力が安い時間帯に購入するのがよい。また、ステップＳ３１０の判別の結果、バッテリ１０６の蓄電量と太陽光発電パネル１０４の太陽光発電量とを加算した量が、消費電力量以上であるときは、バッテリ１０６に蓄積されている余分な電力を電力会社１２８に売却してもよい。ただし、電力の売却の際には、電力の売値が高い時間帯に売却するのがよい。
【００５５】
なお、本実施の形態では、バッテリ制御システム１０００は、太陽光発電パネル１０４を備えたが、太陽光発電パネル１０４に代えて、またはさらに風力発電機（図示しない）を備えてもよい。その場合、図３の第１のバッテリ制御処理におけるステップＳ３０４では、サーバ１２４の記憶部１２６から風速予測情報を取得して、ステップＳ３０６では、風速予測情報に基づいて風力発電機の風力発電量を予測する。そして、ステップＳ３１０では、バッテリ１０６の蓄電量と太陽光発電パネル１０４の太陽光発電量および／または風力発電機の風力発電量とを加算した量と、消費電力量とを比較する。これにより、風力発電機を備える場合においても、居住用の建物１００などに導入されたバッテリ１０６を効率的に制御することができる。
【００５６】
［４．第２のバッテリ制御処理］
次に、図１におけるバッテリ制御システム１０００が実行する第２のバッテリ制御処理について説明する。図５は、図１におけるバッテリ制御システム１０００が実行する第２のバッテリ制御処理のフローチャートである。図９は、図５の第２のバッテリ制御処理を具体的に説明するための説明図である。本処理は、ユーザによる入力部１１２を介した操作入力を受け付けた後に実行されてもよく、所定の時刻や所定の時間間隔で実行されてもよい。
【００５７】
図５において、まず、制御部１０８の取得部１４２は、配電部１１０を介してバッテリ１０６からバッテリ１０６の現在の蓄電量を表す蓄電量情報を取得する（ステップＳ５０２）。
【００５８】
次いで、制御部１０８の取得部１４２は、通信部１１６を介してインターネット１２２に接続されているサーバ１２４の記憶部１２６から予測された太陽光照射時間を表す日照時間予測情報を取得する（ステップＳ５０４）。
【００５９】
次いで、制御部１０８の太陽光発電量予測部１４４は、ステップＳ５０４で取得した日照時間予測情報に基づいて、日中の太陽光発電パネル１０４の太陽光発電量を予測する（ステップＳ５０６）。
【００６０】
次いで、制御部１０８の取得部１４２は、ユーザによる入力部１１２を介した操作入力により生成されたユーザ入力情報を取得する（ステップＳ５０８）。例えば、表示部１１４に図６に示すような入力画面１５２を表示させる。ユーザは、入力部１１２を介して入力画面１５２における日付１５４、来客数１５６、来客者の滞在時間１５８、在宅人数１６０および在宅時間１６２を設定することができる。すなわち、ステップＳ５０８で取得するユーザ入力情報は、例えば、日付情報、来客数情報、来客者の滞在時間情報、在宅人数情報および在宅時間情報を含む。
【００６１】
次いで、制御部１０８の取得部１４２は、通信部１１６を介してインターネット１２２に接続されているサーバ１２４の記憶部１２６から、ユーザが図示しないＰＣ（Personal Computer）や携帯電話などを利用して入力したスケジュール情報を取得する（ステップＳ５１０）。例えば、ＰＣや携帯電話などの表示部（図示しない）に図７や図８に示すような入力画面１６４，１８２を表示させる。ユーザは、ＰＣや携帯電話などの入力部（図示しない）を介して入力画面１６４における日付１６６、時刻１６８，１７０、予定１７２、来客数１７４、来客者属性１７６，１７８，１８０を設定することができる。また、ユーザは、ＰＣや携帯電話などの入力部（図示しない）を介して入力画面１８２における日付１８４、時刻１８６，１８８、予定１９０、人数１９２、外出者属性１９４，１９６，１９８を設定することができる。すなわち、ステップＳ５１０で取得するスケジュール情報は、例えば、日付情報、時刻情報、予定情報、来客数情報および来客者属性情報を含む。また、ステップＳ５１０で取得するスケジュール情報は、例えば、日付情報、時刻情報、予定情報、人数情報および外出者属性情報を含む。なお、ステップＳ５１０では、バッテリ制御システム１０００の記憶部（図示しない）からスケジュール情報を取得してもよい。この場合、上記で説明したサーバ１２４で管理されるスケジュールシステムは、バッテリ制御システム１０００が担うことになる。
【００６２】
次いで、制御部１０８の消費電力予測部１４６は、ステップＳ５０８で取得したユーザ入力情報およびステップＳ５１０で取得したスケジュール情報や、バッテリ制御システム１０００の記憶部（図示しない）に記憶されている過去の電力消費量の情報に基づいて、消費電力量を予測する（ステップＳ５１２）。例えば、ステップＳ５１２では、ユーザ入力情報に含まれる来客数情報および滞在時間情報に基づいて、来客による消費電力量を上乗せして、消費電力量を予測する。また、ステップＳ５１２では、ユーザ入力情報に含まれる在宅人数情報および在宅時間情報に基づいて、在宅による消費電力量を上乗せして、消費電力量を予測する。また、ステップＳ５１２では、スケジュール情報に含まれる時刻情報、来客数情報および来客者属性情報に基づいて、来客による消費電力量を上乗せして、消費電力量を予測する。また、ステップＳ５１２では、スケジュール情報に含まれる時刻情報、人数情報および外出者属性情報に基づいて、外出によって消費しない電力量を差し引いて、消費電力量を予測する。ここで、過去の電力消費量の情報とは、上記で示した各々の来客、外出による電力量変動値等に相当する。例えば、上記示したスケジュール情報に基づき、実際にどれ位の電力量変動があったかの実績値を蓄積し、例えばそれらの平均値などから電力量変動値を算定する、などである。なお、ステップＳ５１２では、電気自動車１３８を使用する場合には、電気自動車１３８の消費電力量を加味して消費電力量を予測する。
【００６３】
次いで、制御部１０８の判定部１４８は、ステップＳ５０２で取得したバッテリ１０６の蓄電量情報が表す蓄電量とステップＳ５０６で予測した太陽光発電パネル１０４の太陽光発電量とを加算した量と、ステップＳ５１２で予測した消費電力量とを比較して、バッテリ１０６への蓄電量を増やすべきか否かを判別する（ステップＳ５１４）。
【００６４】
ステップＳ５１４の判別の結果、バッテリ１０６への蓄電量を増やすべきと判定したときは（ステップＳ５１４でＹＥＳ）、制御部１０８の電力取得部１５０は、配電部１１０を介して電力会社１２８から電力を購入する、または配電部１１０を介して発電機１３０により電力を発電して、購入した電力、または発電した電力をバッテリ１０６に蓄積する（ステップＳ５１６）。
【００６５】
ステップＳ５１４の判別の結果、バッテリ１０６への蓄電量を増やすべきではないと判定されたときは（ステップＳ５１４でＮＯ）、またはステップＳ５１６の処理の後に、本処理を終了する。
【００６６】
図５の第２のバッテリ制御処理によれば、例えば、バッテリ１０６の蓄電量と太陽光発電パネル１０４の太陽光発電量とを加算した量が、消費電力量よりも少ないときに、バッテリ１０６に蓄積が必要な電力を電力会社１２８から購入する、または発電機１３０により発電するとした場合、バッテリ１０６にはいつも必要な量の電力が蓄積されていることになる。これにより、居住用の建物１００などに導入されたバッテリ１０６を効率的に制御することができる。
【００６７】
また、ユーザ入力情報およびスケジュール情報に基づいて、消費電力量を予測するので、上述した第１のバッテリ制御処理と比較して、消費電力量の予測をより正確に行うことができる。
【００６８】
なお、図５の第２のバッテリ制御処理が図９におけるＣの時点、すなわち１２月２４日の午前０時過ぎに実行された場合、図９に示すように、バッテリ１０６の蓄電量が約３０パーセントであるが、予測された太陽光発電パネル１０４の太陽光発電量が多く、さらに、ユーザにより１２月２４日に外出の設定がされているとすると、予測された消費電力量は少なくなり、ステップＳ５１６では、買電は行わない。また、図５の第２のバッテリ制御処理が図９におけるＤの時点、すなわち１２月２５日の午前０時前に実行された場合、図９に示すように、バッテリ１０６の蓄電量が約７０パーセントであるが、予測された太陽光発電パネル１０４の太陽光発電量は少なく、さらに、ユーザにより１２月２５日に来客の設定がされているとすると、予測された消費電力量は多くなり、ステップＳ５１６では、買電量を多くする。なお、図９では買電を行っているが、買電を行わずに同量の電力の発電を行ってもよい。
【００６９】
なお、図５の第２のバッテリ制御処理において、ステップＳ５１６で電力を電力会社１２８から購入する場合は、炭素税などを考慮して電力が安い時間帯に購入するのがよい。また、ステップＳ５１４の判別の結果、バッテリ１０６の蓄電量と太陽光発電パネル１０４の太陽光発電量とを加算した量が、消費電力量以上であるときは、バッテリ１０６に蓄積されている余分な電力を電力会社１２８に売却してもよい。ただし、電力の売却の際には、電力の売値が高い時間帯に売却するのがよい。
【００７０】
なお、本実施の形態では、バッテリ制御システム１０００は、太陽光発電パネル１０４を備えたが、太陽光発電パネル１０４に代えて、またはさらに風力発電機（図示しない）を備えてもよい。その場合、図５の第２のバッテリ制御処理におけるステップＳ５０４では、サーバ１２４の記憶部１２６から風速予測情報を取得して、ステップＳ５０６では、風速予測情報に基づいて風力発電機の風力発電量を予測する。そして、ステップＳ５１４では、バッテリ１０６の蓄電量と太陽光発電パネル１０４の太陽光発電量および／または風力発電機の風力発電量とを加算した量と、消費電力量とを比較する。これにより、風力発電機を備える場合においても、居住用の建物１００などに導入されたバッテリ１０６を効率的に制御することができる。
【００７１】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７２】
この場合、記憶媒体から読み出されたプログラムコード自体が前述した実施の形態の機能を実現することになり、そのプログラムコード及び該プログラムコードを記憶した記憶媒体は本発明を構成することになる。
【００７３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７４】
また、コンピュータが読み出したプログラムコードを実行することにより、前述した実施の形態の機能が実現されるだけではなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００７５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した実施の形態の機能が実現される場合も含まれる。
【００７６】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７７】
１００    建物
１０２    屋根
１０４    太陽光発電パネル
１０６，１４０    バッテリ
１０８    制御部
１１０    配電部
１１２    入力部
１１４    表示部
１１６    通信部
１１８    太陽
１２０    太陽光
１２２    インターネット
１２４    サーバ
１２６    記憶部
１２８    電力会社
１３０    発電機
１３２    燃料供給会社
１３４    燃料タンク
１３６    貯水部
１３８    電気自動車
１４２    取得部
１４４    太陽光発電量予測部
１４６    消費電力量予測部
１４８    判定部
１５０    電力取得部
１０００    バッテリ制御システム
【図１】
2011125122.tif 000003
【図２】
2011125122.tif 000004
【図３】
2011125122.tif 000005
【図４】
2011125122.tif 000006
【図５】
2011125122.tif 000007
【図６】
2011125122.tif 000008
【図７】
2011125122.tif 000009
【図８】
2011125122.tif 000010
【図９】
2011125122.tif 000011